(57)【要約】【課題】  多数のチェック装置等を不要にすることができるプラグチェック装置を提供する。【解決手段】  テストプラグが差し込まれて、このプラグの接続端子と接触する複数の端子を備える８極ソケット１１〜２極ソケット１３と、測定端子間に接続される測定対象の電気的な導通をチェックするメガー３１およびテスター３２と、メガー３１およびテスター３２の一方の測定端子に対して、８極ソケット１１〜２極ソケット１３の端子を切り替えて接続可能にするＮＯ１切替スイッチ２２と、メガー３１およびテスター３２の他方の測定端子に対して、８極ソケット１１〜２極ソケット１３の端子を切り替えて接続可能にするＮＯ２切替スイッチ２３と、ＮＯ１切替スイッチ２２およびＮＯ２切替スイッチ２３に対して切り替えを制御すると共にメガー３１およびテスター３２からのチェック結果を基にテストプラグが正常であるか否かを判別する制御部５１とを備える。【選択図】  図２
2011149887.tif 000002
【特許請求の範囲】
【請求項１】
テストターミナルに差し込まれる複数の接続端子を備えるテストプラグをチェックするプラグチェック装置であって、
テストプラグが差し込まれて、このプラグの接続端子と接触する複数の端子を備えるソケットと、
測定端子間に接続される測定対象の電気的な導通をチェックする計測装置と、
計測装置の一方の測定端子に対して、ソケットの端子を切り替えて接続可能にする第１の切替手段と、
計測装置の他方の測定端子に対して、ソケットの端子を切り替えて接続可能にする第２の切替手段と、
第１の切替手段および第２の切替手段に対して切り替えを制御すると共に計測装置からのチェック結果を基に測定対象であるテストプラグが正常であるか否かを判別する制御手段と、
を備えることを特徴とするプラグチェック装置。
【請求項２】
第１の切替手段および第２の切替手段はソケットの端子数に応じた可動接点と、１つの固定接点とを備え、
各可動接点はソケットの異なる端子にそれぞれ接続され、第１の切替手段の固定接点は計測装置の一方の測定端子に接続され、第２の切替手段の固定接点は計測装置の他方の測定端子に接続されている、
ことを特徴とする請求項１に記載のプラグチェック装置。
【請求項３】
第１の切替手段および第２の切替手段はソケットの端子数に応じて備えられている可動接点に対して、極数の少ないソケットの端子が並列に接続されている、
ことを特徴とする請求項１または２に記載のプラグチェック装置。
【請求項４】
計測装置はメガーおよびテスターの少なくとも一方である、
ことを特徴とする請求項１〜３のいずれか１項に記載のプラグチェック装置。
【発明の詳細な説明】
【技術分野】
【０００１】
この発明は、電力系統の変電所などに設置されている各種の保護継電器の試験等の際に用いられるプラグチェック装置に関する。
【背景技術】
【０００２】
変電所などには、電力系統に発生する異常を検出して電力系統を保護するために、各種の保護継電器が設置されている。また、電力系統の電圧および電流を計測するために、電力系統にはＰＴ（変圧器）およびＣＴ（変流器）が設けられている。さらに、ＰＴおよびＣＴの二次側と、保護継電器との間には、ＰＴやＣＴ、保護継電器の点検や試験等を行うために、テストターミナルが設けられている。
【０００３】
例えば、図１４に示すように、送電線に対してＰＴ１１０が設置されていると、出力側が４極であるＰＴ１１０が検出した電圧は、テストターミナル２１０を経て保護継電器２２０に入力される。テストターミナル２１０は、一次側の４極の接触端子２１１Ａ〜２１４Ａと、二次側の４極の接触端子２１１Ｂ〜２１４Ｂとを備えている。一次側の接触端子２１１Ａ〜２１４ＡはＰＴ１１０の二次側に接続され、二次側の接触端子２１１Ｂ〜２１４Ｂは保護継電器２２０に接続されている。通常、接触端子２１１Ａと接触端子２１１Ｂとの間、〜、接触端子２１４Ａと接触端子２１４Ｂとの間は、端子の接触により、それぞれ短絡されている。保護継電器２２０は、電力系統の電圧に異常が発生すると、電力系統を保護するために、遮断器（図示を省略）などに開閉の指示を送る。
【０００４】
テストターミナル２１０には、図１５（ａ）および図１５（ｂ）に示すような４極のＰＴＴつまりテストプラグ３００が差し込まれる。テストプラグ３００は、プラグ本体３０１の表面側に接続端子３１１Ａ、３１１Ｂ、〜、３１４Ａ、３１４Ｂを備え、プラグ本体３０１の裏面側に端子３２１Ａ、３２１Ｂ、〜、３２４Ａ、３２４Ｂを備えている。端子３２１Ａと端子３２１Ｂとは、図示を省略しているが、絶縁材料を挟んで互いに向かい合うように配置されている。つまり、端子３２１Ｂは端子３２１Ａの裏側に位置している。端子３２２Ａ、３２２Ｂ、〜、３２４Ａ、３２４Ｂも同様である。表面側の接続端子３１１Ａ、３１１Ｂ、〜、３１４Ａ、３１４Ｂは、プラグ本体３０１の内部の配線により、裏面側の端子３２１Ａ、３２１Ｂ、〜、３２４Ａ、３２４Ｂにそれぞれ電気的に接続されている。また、表面側の接続端子３１１Ａ、３１１Ｂ、〜、３１４Ａ、３１４Ｂには接続線等が接続されて、端子間を短絡することが可能である。
【０００５】
保護継電器２２０を試験する場合に異常電圧に対する保護継電器２２０の動作を調べるとき、表面側の接続端子３１１Ａと接続端子３１１Ｂのように対向する端子間、および、接続端子３１１Ａと接続端子３１２Ａのように隣接する端子間を開放にしたテストプラグ３００を、テストターミナル２１０に差し込む。これにより、ＰＴ１１０の出力側が開放になり、ＰＴ１１０の短絡を防いでいる。この後、例えば図１６に示すように、テストターミナル２１０の二次側を経て、試験用の電源を供給する試験用電源装置２３０を保護継電器２２０に接続し、保護継電器２２０の試験を行う。また、異常電流に対する保護継電器２２０の動作を調べるとき、表面側の対向する端子間を開放し、変流器側の隣接する端子間を短絡したＣＴＴであるテストプラグ３００を、テストターミナル２１０に差し込む。これにより、図１７に示すように、ＣＴ１２０の出力側が短絡になり、ＣＴ１２０の開放を防いでいる。この後、テストターミナル２１０を経て、保護継電器２２０に試験用電源装置２３０を接続し、保護継電器２２０の試験を行う。
【０００６】
こうした試験などの際に、テストプラグ３００のプラグ本体３０１の表面側に設けられている接続端子３１１Ａ、３１１Ｂ、〜、３１４Ａ、３１４Ｂついては、短絡と開放とを確実に行う必要がある。このために、テストプラグ３００のチェック装置がある（例えば、特許文献１参照。）。この装置は、テストプラグ３００の極数に応じた開放チェック装置と、短絡チェック装置と、内部処理装置と、音声認識装置とを備えている。そして、この装置は、これらの各チェック装置を含む複数の装置により、テストプラグ３００の短絡と開放とを調べて、チェック結果を音声で出力している。
【先行技術文献】
【特許文献】
【０００７】
【特許文献１】特開平１０−１９９６１号公報
【発明の概要】
【発明が解決しようとする課題】
【０００８】
しかし、従来の装置には次の課題がある。従来の装置は、極数に対応して開放チェック装置を設け、短絡を調べるための短絡チェック装置を設けている。さらに、従来の装置は、内部処理装置や音声認識装置を必要とする。つまり、従来の装置には、開放チェック装置や短絡チェック装置のようなチェック装置を含む各種の装置を多数必要とし、この結果、高コストの装置になる、という課題がある。
【０００９】
この発明の目的は、前記の課題を解決し、多数のチェック装置等を不要にすることができるプラグチェック装置を提供することにある。
【課題を解決するための手段】
【００１０】
前記の課題を解決するために、請求項１の発明は、テストターミナルに差し込まれる複数の接続端子を備えるテストプラグをチェックするプラグチェック装置であって、テストプラグが差し込まれて、このプラグの接続端子と接触する複数の端子を備えるソケットと、測定端子間に接続される測定対象の電気的な導通をチェックする計測装置と、計測装置の一方の測定端子に対して、ソケットの端子を切り替えて接続可能にする第１の切替手段と、計測装置の他方の測定端子に対して、ソケットの端子を切り替えて接続可能にする第２の切替手段と、第１の切替手段および第２の切替手段に対して切り替えを制御すると共に計測装置からのチェック結果を基に測定対象であるテストプラグが正常であるか否かを判別する制御手段と、を備えることを特徴とするプラグチェック装置である。
【００１１】
請求項１の発明では、テストプラグがソケットに差し込まれた後、制御手段が第１の切替手段および第２の切替手段に対して切り替えを制御する。これにより、計測装置の一方の測定端子に対して、第１の切替手段がソケットの端子を切り替えて接続可能にし、計測装置の他方の測定端子に対して、第２の切替手段がソケットの端子を切り替えて接続可能にする。計測装置は、測定端子間に接続される測定対象であるテストプラグの電気的な導通をチェックする。制御手段は、計測装置からのチェック結果を基にテストプラグが正常であるか否かを判別する。
【００１２】
請求項２の発明は、請求項１に記載のプラグチェック装置において、第１の切替手段および第２の切替手段はソケットの端子数に応じた可動接点と、１つの固定接点とを備え、各可動接点はソケットの異なる端子にそれぞれ接続され、第１の切替手段の固定接点は計測装置の一方の測定端子に接続され、第２の切替手段の固定接点は計測装置の他方の測定端子に接続されている、ことを特徴とする。
【００１３】
請求項３の発明は、請求項１または２に記載のプラグチェック装置において、第１の切替手段および第２の切替手段はソケットの端子数に応じて備えられている可動接点に対して、極数の少ないソケットの端子が並列に接続されている、ことを特徴とする。
【００１４】
請求項４の発明は、請求項１〜３のいずれか１項に記載のプラグチェック装置において、計測装置はメガーおよびテスターの少なくとも一方である、ことを特徴とする。
【発明の効果】
【００１５】
請求項１の発明によれば、従来のようにテストプラグの極数に対応して、短絡等をチェックする装置を設けることを、不要にすることができる。また、この発明によれば、テストプラグのチェックを自動で行うことを可能にする。
【００１６】
請求項２の発明によれば、固定接点と可動接点を備える、例えばロータリースイッチ等のような既成の製品を利用して、第１の切替手段および第２の切替手段を形成することができる。
【００１７】
請求項３の発明によれば、ソケットの端子を並列に接続することにより、異なる極数のテストプラグに対応可能である。
【００１８】
請求項４の発明によれば、メガーおよびテスターといった既成の装置を計測装置として利用可能にする。さらに、メガーとテスターの両方を用いることにより、テストプラグの絶縁抵抗および接触抵抗の両方を同時に調べることができる。
【図面の簡単な説明】
【００１９】
【図１】実施の形態１によるプラグチェック装置を示す斜視図である。
【図２】プラグチェック装置の構成を示す構成図である。
【図３】各部材の接続を表す結線図である。
【図４】切替スイッチのツマミ部分を示す図である。
【図５】操作パネルを示す正面図である。
【図６】２極用スイッチ制御テーブルの一例を示す図である。
【図７】４極用スイッチ制御テーブルの一例を示す図である。
【図８】８極用スイッチ制御テーブルの一例を示す図である。
【図９】指示内容テーブルの一例を示す図である。
【図１０】確認処理の一例を示すフローチャートである。
【図１１】測定経路の形成を説明する図である。
【図１２】測定経路の形成を説明する図である。
【図１３】測定経路の形成を説明する図である。
【図１４】ＰＴによる計測を説明する説明図である。
【図１５】テストプラグを示す図であり、図１５（ａ）はテストプラグの平面図、図１５（ｂ）はテストプラグの正面図である。
【図１６】保護継電器の試験の様子を説明する説明図である。
【図１７】保護継電器の別の試験の様子を説明する説明図である。
【発明を実施するための形態】
【００２０】
次に、この発明の各実施の形態について、図面を用いて詳しく説明する。
【００２１】
（実施の形態１）
この実施の形態によるプラグチェック装置を図１に示す。図１のプラグチェック装置は、極数の異なる複数のテストプラグをチェックするためのものであり、直方体形状の本体１０の上面側に開けられた挿入口１０Ａ〜１０Ｄと、本体１０の正面側に配置された操作パネル２１、ＮＯ１切替スイッチ２２およびＮＯ２切替スイッチ２３と、本体１０の一方の側面側に配置されたメガー３１およびテスター３２と、本体１０の他方の側面側に配置された測定コード４１、４２とを備えている。さらに、プラグチェック装置は、図２に示すように、８極ソケット１１、４極ソケット１２および２極ソケット１３と、制御部５１と、配線系統６１とを、本体１０の内部に備えている。
【００２２】
挿入口１０Ａ〜１０Ｃと対向する、本体１０の内部には、８極ソケット１１〜２極ソケット１３がそれぞれ設けられている。８極ソケット１１には、挿入口１０Ａに挿入された８極のテストプラグ（図示を省略）が差し込まれ、４極ソケット１２には、挿入口１０Ｂに挿入された４極のテストプラグ（図示を省略）が差し込まれる。また、２極ソケット１３には、挿入口１０Ｃに挿入された２極テストプラグ（図示を省略）が差し込まれる。４極のテストプラグは先に説明した図１５と同じであり、８極および２極のテストプラグは、極数が異なるだけで、４極のテストプラグと同様である。図３に示すように、８極ソケット１１〜２極ソケットは接続端子である例えばＡ１端子と、このＡ１端子と対向するように配置されたＢ１端子とを１組としている。そして、８極ソケット１１は８組のＡ１端子およびＢ１端子、〜、Ａ８端子およびＢ８端子を備え、４極ソケット１２は４組のＡ１端子およびＢ１端子、〜、Ａ４端子およびＢ４端子を備えている。また、２極ソケット１３は２組のＡ１端子およびＢ１端子とＡ２端子およびＢ２端子とを備えている。これらの端子は、ソケットに差し込まれたテストプラグの、裏面側に設けられている接続端子と接触する。
【００２３】
ＮＯ１切替スイッチ２２およびＮＯ２切替スイッチ２３は、固定接点であるＭ０接点と、可動接点であるＭ１接点〜Ｍ４接点およびＭ１１接点〜Ｍ１４接点とをそれぞれ備えている。こうしたＮＯ１切替スイッチ２２およびＮＯ２切替スイッチ２３として、例えば既成のロータリースイッチなどが該当する。ＮＯ１切替スイッチ２２およびＮＯ２切替スイッチ２３は、図４に示すツマミ部分２２Ａ、２３Ａの回転により、Ｍ１接点〜Ｍ４接点およびＭ１１接点〜Ｍ１４接点の１つに、Ｍ０接点を接続する。ツマミ部分２２Ａ、２３Ａは作業者の手動により、各接点の位置を表す目盛りに回される。また、ＮＯ１切替スイッチ２２およびＮＯ２切替スイッチ２３は、制御部５１の制御を受けるモータで駆動される。
【００２４】
メガー３１は絶縁抵抗を測る測定装置であり、テスター３２はテストプラグ等の抵抗や、端子等の電圧、電流を測る測定装置である。メガー３１は、測定端子３１１、３１２（図３）を備え、測定端子３１１と測定端子３１２との間に接続された測定対象であるテストプラグ等の絶縁抵抗を測る。つまり、この実施の形態では既成の測定装置が利用されている。同じように、テスター３２は、測定端子３２１、３２２を備え、測定端子３２１と測定端子３２２との間に接続されたテストプラグ等の抵抗や電圧等を測る。この実施の形態では、メガー３１とテスター３２とは、テストプラグの導通をチェックする装置、つまり、メガー３１による絶縁とテスター３２による接触抵抗とを計る装置として使用されている。メガー３１およびテスター３２はチェック結果を制御部５１に送る。
【００２５】
配線系統６１（図３）は、８極ソケット１１〜２極ソケット１３と、ＮＯ１切替スイッチ２２およびＮＯ２切替スイッチ２３と、メガー３１およびテスター３２との間を、複数のケーブルによって接続している。
【００２６】
具体的には、配線系統６１は、ＮＯ１切替スイッチ２２のＭ１接点〜Ｍ４接点と、ＮＯ２切替スイッチ２３のＭ１接点〜Ｍ４接点との間を接続し、ＮＯ１切替スイッチ２２のＭ１１接点〜Ｍ１４接点と、ＮＯ２切替スイッチ２３のＭ１１接点〜Ｍ１４接点との間を接続している。
【００２７】
配線系統６１は、ＮＯ１切替スイッチ２２のＭ１接点とＭ１１接点との間に、８極ソケット１１〜２極ソケット１３のＡ１端子とＢ１端子とを接続し、ＮＯ１切替スイッチ２２のＭ２接点とＭ１２接点との間に、８極ソケット１１〜２極ソケット１３のＡ２端子とＢ２端子とを接続する。また、配線系統６１は、ＮＯ１切替スイッチ２２のＭ３接点とＭ１３接点との間に、８極ソケット１１および４極ソケット１２のＡ３端子とＢ３端子とを接続し、ＮＯ１切替スイッチ２２のＭ４接点とＭ１４接点との間に、８極ソケット１１および４極ソケット１２のＡ４端子とＢ４端子とを接続している。また、配線系統６１は、ＮＯ１切替スイッチ２２のＭ１１接点〜Ｍ１４接点に８極ソケット１１のＡ５端子〜Ａ８端子をそれぞれ接続し、ＮＯ２切替スイッチ２３のＭ１接点〜Ｍ４接点に８極ソケット１１のＢ５端子〜Ｂ８端子をそれぞれ接続している。
【００２８】
こうした接続により、８極ソケット１１のＡ１端子およびＡ２端子と、Ｂ１端子およびＢ２端子に対して、２極ソケット１３のＡ１端子およびＡ２端子と、Ｂ１端子およびＢ２端子とが接続されているので、２極ソケット１３は８極ソケット１１に対して並列に接続されている。同じように、４極ソケット１２は８極ソケット１１に対して並列に接続されている。
【００２９】
配線系統６１は、ＮＯ１切替スイッチ２２の可動接点Ｍ０を、電源スイッチ３１Ａ、３２Ａを経て、メガー３１の測定端子３１１およびテスター３２の測定端子３２１にそれぞれ接続し、ＮＯ２切替スイッチ２３の可動接点Ｍ０を、メガー３１の測定端子３１２およびテスター３２の測定端子３２２にそれぞれ接続している。電源スイッチ３１Ａ、３２Ａは、メガー３１およびテスター３２を配線系統６１に接続するか、接続しないかを切り替える。電源スイッチ３１Ａ、３２Ａは、作業者による手動または制御部５１による制御で動作する。
【００３０】
さらに、配線系統６１は、ＮＯ１切替スイッチ２２のＭ１接点に測定コード４１を接続し、Ｍ１１接点に測定コード４２を接続している。測定コード４１、４２は、ＮＯ１切替スイッチ２２およびＮＯ２切替スイッチ２３の切り替えによって、メガー３１およびテスター３２の少なくとも一方に接続される。測定コード４１、４２は、メガー３１やテスター３２の機能を単独で利用する場合の、測定対象に接触される測定端子を持つリード線である。測定コード４１、４２は、使用されない場合には、挿入口１０Ｄに差し込まれて、測定端子が互いに接触することを防いでいる。
【００３１】
操作パネル２１は、作業者によって操作される部分であり、図５に示すように、先に述べた電源スイッチ３１Ａ、３２Ａに加えて、押しボタンスイッチ２１Ａ〜２１Ｍと、確認ランプ２１Ｑ、２１Ｒとを備えている。
【００３２】
番号が「１」〜「１３」の押しボタンスイッチ２１Ａ〜２１Ｍは、その側部に示されている表示内容のチェックを行うときに、作業者によって操作される。例えば番号が「１」の押しボタンスイッチ２１Ａが操作されると、操作パネル２１は、押しボタンスイッチ２１Ａの操作による操作信号を制御部５１に送る。この操作信号は、操作された押しボタンスイッチ２１Ａの番号「１」と、極数「２極」とを表す。番号「１」の押しボタンスイッチ２１Ａの操作で行われるチェックは、このスイッチの上側部に示されている「２極用」テストプラグのチェックであり、かつ、右側部に示されている「全開放」のチェックである。なお、表示内容の「全開放」は、テストプラグの表面側の接続端子が互いに開放されている状態である。
【００３３】
また、例えば番号が「２」の押しボタンスイッチ２１Ｂが操作されると、操作パネル２１は押しボタンスイッチ２１Ａの操作による操作信号を制御部５１に送る。この操作信号は、操作された押しボタンスイッチ２１Ａの番号「２」と、極数「２極」とを表す。番号「２」の押しボタンスイッチ２１Ｂの操作で行われるチェックは、このスイッチの上側部に示されている「２極用」テストプラグのチェックであり、かつ、右側部に示されている「Ｂ１−Ｂ２短絡」のチェックである。なお、表示内容の「Ｂ１−Ｂ２短絡」は、２極ソケット１３のＢ１端子とＢ２端子とを短絡させることであり、このために、テストプラグの表面側の該当する接続端子がジャンパー線等によって接続される。
【００３４】
さらに、例えば番号が「７」の押しボタンスイッチ２１Ｇが操作されると、操作パネル２１は押しボタンスイッチ２１Ｇの操作による操作信号を制御部５１に送る。この操作信号は、操作された押しボタンスイッチ２１Ａの番号「７」と、極数「４極」とを表す。番号「７」の押しボタンスイッチ２１Ｇの操作で行われるチェックは、このスイッチの上側部に示されている「４極用」テストプラグのチェックであり、かつ、右側部に示されている「Ａ１−Ｂ１開放，Ａ２−Ｂ２，Ａ３−Ｂ３，Ａ４−Ｂ４短絡（赤相欠相）」のチェックである。なお、表示内容の中で「Ａ１−Ｂ１開放」は、４極ソケット１２のＡ１端子とＢ１端子とを開放させることであり、このために、テストプラグの表面側の該当する接続端子が未接続の状態にされる。
【００３５】
他の押しボタンスイッチ２１Ｃ〜２１Ｆ、２１Ｈ〜２１Ｍについても、押しボタンスイッチ２１Ａなどと同様であるので、これらの説明を省略する。
【００３６】
確認ランプ２１Ｑ、２１Ｒは、押しボタンスイッチ２１Ａ〜２１Ｍの操作によるチェックが制御部５１によって行われたとき、チェック結果が正常か異常かを点灯により表示する。確認ランプ２１Ｑ、２１Ｒの点灯は制御部５１による制御で行われる。
【００３７】
制御部５１はＣＰＵ（Ｃｅｎｔｒａｌ  Ｐｒｏｃｅｓｓｉｎｇ  Ｕｎｉｔ）とＲＡＭ（Ｒａｎｄｏｍ  Ａｃｃｅｓｓ  Ｍｅｍｏｒｙ）とＲＯＭ（Ｒｅａｄ  Ｏｎｌｙ  Ｍｅｍｏｒｙ）とを内部に備える装置である。なお、図２ではＣＰＵとＲＡＭとＲＯＭとを省略している。制御部５１は、押しボタンスイッチ２１Ａ〜２１Ｍの操作による操作信号を、操作パネル２１から受け取ると、ＮＯ１切替スイッチ２２とＮＯ２切替スイッチ２３とを制御し、操作信号に応じたチェックを行う。このとき、制御部５１は、テストプラグが差し込まれたソケットの１つの端子に対して、残りの端子との導通をチェックし、そして、ソケットの全ての端子について同様のチェックを行い、テストプラグが正常であるかどうかをチェックする。このチェックを行うために、制御部５１はスイッチ制御テーブルと指示内容テーブルとを、あらかじめＲＯＭに記憶している。
【００３８】
スイッチ制御テーブルは、ＮＯ１切替スイッチ２２と、ＮＯ２切替スイッチ２３と、電源スイッチ３１Ａ、３２Ａとの切り替えを記録したものである。２極のテストプラグが差し込まれる２極ソケット１３の場合、配線系統６１によって、２極ソケット１３のＡ１端子およびＡ２端子がＮＯ１切替スイッチ２２およびＮＯ２切替スイッチ２３のＭ１接点およびＭ２接点にそれぞれ接続され、２極ソケット１３のＢ１端子およびＢ２端子がＮＯ１切替スイッチ２２およびＮＯ２切替スイッチ２３のＭ１１接点およびＭ１２接点にそれぞれ接続されている。したがって、２極ソケット１３の各１つの端子に対して、残りの端子との導通をチェックするための、ＮＯ１切替スイッチ２２およびＮＯ２切替スイッチ２３の端子の、全ての組み合わせは、図６の２極用スイッチ制御テーブルに示すように、８組の制御データになる。２極用スイッチ制御テーブルでは、ＮＯ１切替スイッチ２２とＮＯ２切替スイッチ２３との切り替えの順序を「手順」の項目で表している。つまり、スイッチ制御テーブルは、２極用スイッチ制御テーブルの「手順」の番号に従って、ＮＯ１切替スイッチ２２およびＮＯ２切替スイッチ２３の位置を変えてゆく順序を、８組の制御データとして記録している。このとき、電源スイッチ３１Ａ、３２Ａは「入」にされている。
【００３９】
２極用スイッチ制御テーブルの「確認事項」には、制御部５１によって、チェックの結果が記録される。つまり、「手順」の「１」〜「８」までの確認事項が確認データとしてスイッチ制御テーブルに記録される。
【００４０】
４極のテストプラグが差し込まれる４極ソケット１２の場合、配線系統６１によって、４極ソケット１２のＡ１端子〜Ａ４端子がＮＯ１切替スイッチ２２およびＮＯ２切替スイッチ２３のＭ１接点〜Ｍ４接点にそれぞれ接続され、４極ソケット１２のＢ１端子〜Ｂ４端子がＮＯ１切替スイッチ２２およびＮＯ２切替スイッチ２３のＭ１１接点〜Ｍ１４接点にそれぞれ接続されている。したがって、４極ソケット１２の各１つの端子に対して、残りの端子との導通をチェックするための、ＮＯ１切替スイッチ２２およびＮＯ２切替スイッチ２３の端子の、全ての組み合わせは、図７の４極用スイッチ制御テーブルに示すように２４組になる。
【００４１】
さらに、８極のテストプラグが差し込まれる８極ソケット１１の場合も同様にして、各１つの端子に対して、残りの端子との導通をチェックするための、ＮＯ１切替スイッチ２２およびＮＯ２切替スイッチ２３の端子の、全ての組み合わせは、図８の８極用スイッチ制御テーブルに示すように８０組になる。
【００４２】
指示内容テーブルは、操作パネル２１の番号が「１」〜「１３」の押しボタンスイッチ２１Ａ〜２１Ｍに対応するチェックであり、かつ、正常な場合のチェックを表すデータを記録している。つまり、指示内容テーブルには、押しボタンスイッチ２１Ａ〜２１Ｍに応じて、１３種類がある。例えば、番号「１」の押しボタンスイッチ２１Ａに対応するチェックは、「２極用」テストプラグのチェックであり、かつ、テストプラグが「全開放」である場合のチェックである。これに対して、この場合の正常なときのチェック結果を表す指示内容テーブルは、図９に示すように、スイッチ制御テーブルの「手順」に対応して、正常な場合のメガー３１およびテスター３２の状態を、正常状態データとして記録している。
【００４３】
残りの１２種類の指示内容テーブルについても、「１」の押しボタンスイッチ２１Ａに対応する指示内容テーブルと同様であるので、これらの説明を省略する。
【００４４】
こうしたスイッチ制御テーブルと指示内容テーブルとを基に、制御部５１は差し込まれたテストプラグが正常であるかどうかを、確認処理で判断する。この確認処理を図１０に示す。制御部５１は、操作パネル２１から操作信号を受け取ると、確認処理を開始し、操作信号が表す極数に応じたスイッチ制御テーブルから、最初の制御データを読み出す（ステップＳ１）。この後、制御部５１は、制御データに従って、ＮＯ１切替スイッチ２２とＮＯ２切替スイッチ２３と電源スイッチ３１Ａ、３２Ａとをそれぞれ切り替える（ステップＳ２）。
【００４５】
例えば、操作信号が表す極数が「２極」である場合、制御部５１は２極用スイッチ制御テーブル（図６）を読み出す。そして、このテーブルに記録されている最初の制御データに従ってＮＯ１切替スイッチ２２とＮＯ２切替スイッチ２３と電源スイッチ３１Ａ、３２Ａとをそれぞれ切り替える。つまり、制御部５１は、これらのスイッチの切り替えにより、図１１に示すように、測定経路Ｒ１を形成する。なお、この測定経路Ｒ１は、ＮＯ１切替スイッチ２２のＭ１接点とＮＯ２切替スイッチ２３のＭ１接点とを短絡して、メガー３１およびテスター３２の動作をチェックするためのものである。また、２極用スイッチ制御テーブルにおいて、例えば「手順」が「２」の制御データである場合、ＮＯ１切替スイッチ２２とＮＯ２切替スイッチ２３と電源スイッチ３１Ａ、３２Ａとを切り替え、図１２に示すように、測定経路Ｒ２を形成する。なお、この測定経路Ｒ２は、テストプラグが差し込まれた２極ソケット１３のＡ１端子とＡ２端子との間の導通により、テストプラグをチェックするためのものである。さらに、２極用スイッチ制御テーブルにおいて、例えば「手順」が「３」の制御データである場合、ＮＯ１切替スイッチ２２とＮＯ２切替スイッチ２３と電源スイッチ３１Ａ、３２Ａとを切り替え、図１３に示すように、測定経路Ｒ３を形成する。なお、この測定経路Ｒ３は、テストプラグが差し込まれた２極ソケット１３のＡ１端子とＢ１端子との間の導通により、テストプラグをチェックするためのものである。４極用スイッチ制御テーブルおよび８極用スイッチ制御テーブルによる制御データも、測定経路Ｒ１〜測定経路Ｒ３の中の１つと同じような経路を形成して、端子間の導通によりテストプラグをチェックするので、これらの説明を省略する。
【００４６】
ステップＳ２が終了し、制御部５１はステップＳ１による切り替えでメガー３１およびテスター３２が測定した結果を受け取ると（ステップＳ３）、ステップＳ１で読み出したスイッチ制御テーブルの「確認事項」の欄に測定結果を記録して、スイッチ制御テーブルの確認データを更新する（ステップＳ４）。
【００４７】
ステップＳ４が終了すると、制御部５１はスイッチ制御テーブルの全ての制御データによるチェックを終了したかどうかを調べる（ステップＳ５）。もし、全てのチェックが終了していなければ、制御部５１は、スイッチ制御テーブルから次の制御データを読み出して（ステップＳ６）、処理をステップＳ２に戻す。
【００４８】
一方、スイッチ制御テーブルの全ての制御データによるチェックが終了していると、制御部５１は操作パネル２１から受け取った操作信号の押しボタンスイッチの「番号」に対応する指示内容テーブルから、正常状態データを読み出す（ステップＳ７）。この後、制御部５１は、ステップＳ２〜ステップＳ５の一連の処理で更新を終了したスイッチ制御テーブルの確認データと、ステップＳ７で読み出した正常状態データとを比較し（ステップＳ８）、２つのデータが完全に一致するかどうかを判定する（ステップＳ９）。２つのデータが完全に一致すると、制御部５１は操作パネル２１の、正常を表す確認ランプ２１Ｑを点灯して（ステップＳ１０）、確認処理を終了する。また、２つのデータに１つでも不一致があると、制御部５１は操作パネル２１の、異常を表す確認ランプ２１Ｒを点灯して（ステップＳ１１）、確認処理を終了する。
【００４９】
次に、この実施の形態によるプラグチェック装置の動作について説明する。作業者は、例えば保護継電器の点検を行うために、テストプラグの表面側に配置されている接続端子間を開放や短絡にする。この後、テストプラグをチェックするために、このプラグをプラグチェック装置に差し込む。例えば、テストプラグが２極用である場合には、作業者はプラグチェック装置の挿入口１０Ｃにテストプラグを入れると、テストプラグの裏面側の端子が２極ソケット１３に差し込まれる。
【００５０】
この後、作業者がプラグチェック装置の例えば押しボタンスイッチ２１Ａを操作すると、プラグチェック装置による２極用のチェックが始まる。このチェックにより、あらかじめ記録されている正常状態データと、チェックで得られた確認データとの比較結果から、２つのデータが完全に一致する場合に、プラグチェック装置は正常を表す確認ランプ２１Ｑを点灯する。また、２つのデータが完全に一致しない場合には、プラグチェック装置は異常を表す確認ランプ２１Ｒを点灯する。これにより、作業者はテストプラグが正常化どうかを目視により確認することができる。
【００５１】
こうして、この実施の形態によれば、テストプラグの全開放、全短絡、１相だけの開放等の各種のチェックを全て自動で行うことができる。また、この実施の形態によれば、チェックを自動でするので、チェックの漏れをなくすことを可能にする。また、この実施の形態によれば、８極ソケット１１に対して４極ソケット１２および２極ソケット１３を並列に接続することにより、チェック対象が２極、４極および８極の全てのテストプラグに対応可能である。また、この実施の形態によれば、従来の各種の装置に該当するのはメガー３１、テスター３２および制御部５１だけであるので、従来に比べて装置が高コストになることを防ぐことができる。さらに、この実施の形態によれば、８極ソケット１１〜２極ソケット１３にテストプラグを差し込まない状態で、ＮＯ１切替スイッチ２２をＭ１接点にし、ＮＯ２切替スイッチ２３をＭ１１接点にすれば、測定コード４１、４２により、メガー３１やテスター３２として単独の使用を可能にする。
【００５２】
（実施の形態２）
この実施の形態では、プラグチェック装置が実施の形態１のメガー３１またはテスター３２のどちらか一方だけを備えている。また、この実施の形態では、プラグチェック装置が８極ソケット１１〜２極ソケット１３の１つだけを備えている。さらに、この実施の形態では、メガー３１またはテスター３２を外付け型としてもよい。
【００５３】
こうした構成の実施の形態により、構成を簡略化した簡易型のプラグチェック装置を提供することができる。
【産業上の利用可能性】
【００５４】
この発明は、テストプラグに限らず、端子を備えると共に端子間が短絡または開放されている基板等のチェックにも利用可能である。
【符号の説明】
【００５５】
１０  本体
１０Ａ〜１０Ｄ  挿入口
１１〜１３  ８極ソケット〜２極ソケット
２２  ＮＯ１切替スイッチ
２３  ＮＯ２切替スイッチ
３１  メガー
３２  テスター
４１、４２  測定コード
【図１】
2011149887.tif 000003
【図２】
2011149887.tif 000004
【図３】
2011149887.tif 000005
【図４】
2011149887.tif 000006
【図５】
2011149887.tif 000007
【図６】
2011149887.tif 000008
【図７】
2011149887.tif 000009
【図８】
2011149887.tif 000010
【図９】
2011149887.tif 000011
【図１０】
2011149887.tif 000012
【図１１】
2011149887.tif 000013
【図１２】
2011149887.tif 000014
【図１３】
2011149887.tif 000015
【図１４】
2011149887.tif 000016
【図１５】
2011149887.tif 000017
【図１６】
2011149887.tif 000018
【図１７】
2011149887.tif 000019